(57)【要約】【課題】カバーを備え、当該カバーに配置された部品を簡単な構成でアース可能な自動原稿搬送装置を提供する。【解決手段】ＡＤＦは、ＡＤＦ本体と、アース部材と、カバー１１と、板金４８と、２段バネ４９と、を備える。アース部材は、ＡＤＦ本体に配置される。カバー１１は、非導電性であり、ＡＤＦ本体に開閉可能に支持される。板金４８は、カバー１１に配置された部品と導通している。２段バネ４９は、導電性であり、カバー１１と板金４８とに挟まれるようにして固定され、カバー１１を閉じたときにアース部材と接触する。【選択図】図６
2011123174.tif 000002
【特許請求の範囲】
【請求項１】
本体と、
前記本体に配置されるアース部材と、
前記本体に開閉可能に支持される非導電性のカバーと、
前記カバーに配置された部品と導通している導電性部材と、
前記カバーと前記導電性部材とに挟まれるようにして固定され、前記カバーを閉じたときに前記アース部材と接触する導電性の弾性部材と、
を備えることを特徴とする自動原稿搬送装置。
【請求項２】
請求項１に記載の自動原稿搬送装置であって、
前記弾性部材は、外形の異なる第１部位と第２部位とを有しており、
前記導電性部材には、前記第１部位を差込可能であって、前記第２部位を差込不能である取付孔が形成されていることを特徴とする自動原稿搬送装置。
【請求項３】
請求項１又は２に記載の自動原稿搬送装置であって、
前記導電性部材は、板金で構成されることを特徴とする自動原稿搬送装置。
【請求項４】
請求項１から３までの何れか一項に記載の自動原稿搬送装置であって、
前記カバーには、前記弾性部材を保持可能な保持部が形成されることを特徴とする自動原稿搬送装置。
【請求項５】
請求項１から４までの何れか一項に記載の自動原稿搬送装置を備えることを特徴とする原稿読取装置。
【発明の詳細な説明】
【技術分野】
【０００１】
本発明は、自動原稿搬送装置、及び、原稿を当該自動原稿搬送装置で搬送しながら読み取る原稿読取装置に関する。
【背景技術】
【０００２】
従来から、原稿の両面を読取可能な原稿読取装置等において、自動原稿搬送装置（オートドキュメントフィーダ、ＡＤＦ）を備える構成が知られている。この種の自動原稿搬送装置においては、ジャム原稿の除去等の各種メンテナンス作業を容易にするために、自動原稿搬送装置の内部を開放可能なカバーを備える構成をとることがある。
【０００３】
また、原稿読取装置は、紙等からの静電気により各部品が帯電することを防止するためにアースを行っている。このアースは、各部品を導電性の部材で接続し、この導電性の部材と基準電位点とをアース回路によって接続することで行われる。
【０００４】
特許文献１は、カバーを備え、当該カバーに配置された部品を簡単な構造でアース可能な自動原稿搬送装置を開示する。この特許文献１の自動原稿搬送装置は、カバーに配置されたセパレートローラの回転軸とプレスローラの回転軸とを板バネによって接続することで導通をとっている。また、このセパレートローラの回転軸には導電性の部材が接続されている。そして、この導電性の部材は、カバーを閉じたときに、自動原稿搬送装置本体に配置された所定のアース部（接触部）と導電状に接触するように構成されている。このアース部は、適宜のアース回路を通じて基準電位点（地面等）と接続されているため、自動原稿搬送装置のカバーに配置された部品に対してアースを行うことができる。
【先行技術文献】
【特許文献】
【０００５】
【特許文献１】特開２００７−２７６９５４号公報
【発明の概要】
【発明が解決しようとする課題】
【０００６】
しかし、上記特許文献１の構成は、軸間の導通を効果的に行う自動原稿搬送装置を開示するにとどまり、アース部と接触させる導電性の部材としてどのような部材を用いるかは開示されていない。一般的には、この導電性の部材として、バネを用いる構成が知られている。このようなバネは、取付具（ネジ等）によってカバーに固定され、カバーを閉じたときにアース部と導電状に接触するように構成されている。
【０００７】
しかし、このような構成においては、バネを固定するために取付具を用いる必要があり、この取付具に掛かるコストの観点から改善の余地が残されていた。
【０００８】
また、バネに代えてリード線等を用い、カバーと本体との導通を行う方法も知られている。しかし、この方法においては、リード線によってカバーの開閉ストロークが制限されること、及び、リード線がメンテナンス作業の邪魔になることがあり、これらの点においても改善の余地が残されていた。
【０００９】
本発明は以上の事情に鑑みてされたものであり、その主要な目的は、カバーを備え、当該カバーに配置された部品を簡単な構成でアース可能な自動原稿搬送装置を提供することにある。
【課題を解決するための手段及び効果】
【００１０】
本発明の解決しようとする課題は以上の如くであり、次にこの課題を解決するための手段とその効果を説明する。
【００１１】
本発明の観点によれば、以下の構成の自動原稿搬送装置が提供される。即ち、この自動原稿搬送装置は、本体と、アース部材と、カバーと、導電性部材と、弾性部材と、を備える。前記アース部材は、前記本体に配置される。前記カバーは、非導電性であり、前記本体に開閉可能に支持される。前記導電性部材は、前記カバーに配置された部品と導通している。前記弾性部材は、導電性であり、前記カバーと前記導電性部材とに挟まれるようにして固定され、前記カバーを閉じたときに前記アース部材と接触する。
【００１２】
これにより、カバーを閉めることでアース部材と弾性部材とが接触するため、カバーに配置された部品をアースすることができる。また、弾性部材を挟み込むようにして取り付ける構成であるため、弾性部材を取り付けるための取付具（ネジ等）を省略することができる。従って、自動原稿搬送装置の製造コストを低減できる。
【００１３】
前記の自動原稿搬送装置においては、以下の構成とすることが好ましい。即ち、前記弾性部材は、外形の異なる第１部位と第２部位とを有している。前記導電性部材には、前記第１部位を差込可能であって、前記第２部位を差込不能である取付孔が形成されている。
【００１４】
これにより、カバーと導電性部材とで弾性部材を挟み込むときに、導電性部材の取付孔に弾性部材を挿入するだけで当該弾性部材の第１部位が導電性部材から突出する。そのため、上記の挟み込みを行うだけで、アースが可能な状態にすることができる。
【００１５】
前記の自動原稿搬送装置においては、前記導電性部材は、板金で構成されることが好ましい。
【００１６】
これにより、導電性部材を薄く構成することができるので、カバーを薄くでき、コンパクトな自動原稿搬送装置が実現できる。また、導電性部材を安価に構成することができる。
【００１７】
前記の自動原稿搬送装置においては、前記カバーには、前記弾性部材を保持可能な保持部が形成されることが好ましい。
【００１８】
これにより、カバーと導電性部材との間に弾性部材を挟み込むときに、弾性部材を保持部に保持させておくことができるため、指等で保持する必要がなくなる。そのため、弾性部材を容易に取り付けることができる。
【００１９】
本発明の別の観点によれば、前記の自動原稿搬送装置を備えた原稿読取装置が提供される。
【００２０】
これにより、弾性部材を取り付けるための取付具（ネジ等）が必要なくなるため、原稿読取装置の製造コストを低減できる。
【図面の簡単な説明】
【００２１】
【図１】本発明の一実施形態に係る複合機の外観斜視図。
【図２】カバーが閉じているときの自動原稿搬送装置の正面断面図。
【図３】カバーが開いているときの自動原稿搬送装置の正面断面図。
【図４】ＡＤＦ本体側から見たカバーの様子を示す斜視図。
【図５】ＡＤＦ本体の上面の構成を説明する模式図。
【図６】２段バネの取付方法を説明する分解斜視図。
【発明を実施するための形態】
【００２２】
次に、図面を参照して本発明の実施の形態を説明する。図１は本発明の一実施形態に係る複合機２０の外観斜視図である。
【００２３】
複合機２０は、コピー機能及びファクシミリ機能を備えており、図１に示すように、ブックスキャナ及びオートドキュメントフィードスキャナとして機能するイメージスキャナ装置（原稿読取装置）１０を、当該複合機２０の上部に備えている。また、複合機２０は、コピー部数、ファクシミリ送信先及び原稿読取等を指示するための操作パネル７７を備える。
【００２４】
更に、複合機２０は、記録媒体としての用紙に画像を形成する画像形成部等を内蔵した複合機本体７８と、前記用紙を順次供給する給紙カセット７９と、を備えている。この複合機本体７８は、通信回線を介して画像データを伝送するための図略の送受信部等を備える。
【００２５】
次に、図２及び図３を参照して、複合機２０が備えるイメージスキャナ装置１０について説明する。図２は、カバーが閉じているときの自動原稿搬送装置の正面断面図である。図３は、カバーが開いているときの自動原稿搬送装置の正面断面図である。
【００２６】
図２に示すように、イメージスキャナ装置１０は、プラテンガラス２２と原稿台カバー２１とを備えている。この原稿台カバー２１には自動原稿搬送装置（オートドキュメントフィーダ、ＡＤＦ）２５が備えられている。また、イメージスキャナ装置１０は、原稿の画像を読み取るための本体側スキャナユニット５０及びＡＤＦ側スキャナユニット６０を備えている。
【００２７】
このイメージスキャナ装置１０をオートドキュメントフィードスキャナとして使用する場合は、前記ＡＤＦ２５によって原稿を１枚ずつ搬送する。そして、原稿の表側の面（第１面）の画像は本体側スキャナユニット５０によって読み取られ、裏側の面（第２面）の画像はＡＤＦ側スキャナユニット６０によって読み取られる。
【００２８】
一方、イメージスキャナ装置１０をブックスキャナとして使用する場合は、読み取るべきブック原稿をユーザがプラテンガラス２２上に載置して、その上から原稿台カバー２１によって押圧し、ブック原稿が動かないように固定する。この状態で、本体側スキャナユニット５０によって原稿の画像を読み取ることができるようになっている。
【００２９】
図２に示すように、前記原稿台カバー２１が備えるＡＤＦ２５は、原稿台カバー２１の上部に設けられた原稿トレイ２３と、この原稿トレイ２３の下方に設けられた排出トレイ２４と、を備える。また、ＡＤＦ２５は、ＡＤＦ本体（本体）１６と、その上側を覆うカバー１１とを備えている。
【００３０】
このカバー１１は、図３に示すように、カバー回動軸１５を回動軸線としてＡＤＦ本体１６に回動可能に支持されている。そして、カバー１１が不用意に開くことを防止するために、当該カバー１１を閉めたときにロックが掛かるように構成されている。なお、このカバー１１の詳細については後述する。
【００３１】
図２に示すように、前記原稿台カバー２１の内部には、原稿トレイ２３と排出トレイ２４とを繋ぐ湾曲状（正面視で横向きＵ字状）の原稿搬送経路３０が構成されている。この構成で、原稿トレイ２３に重ねてセットされた原稿は、１枚ずつ分離されて前記原稿搬送経路３０に沿って搬送され、排出トレイ２４へ排出される。原稿の読取開始等の指示は、図１に示す操作パネル７７によって行うことができる。
【００３２】
次に、原稿搬送経路３０に沿って、ＡＤＦ２５の各部の構成を詳細に説明する。
【００３３】
図２に示すように、原稿トレイ２３から原稿搬送経路３０に原稿が供給される箇所にはピックアップローラ３１が配置されている。このピックアップローラ３１の下流側には分離ローラ３２が備えられる。また、カバー１１を閉じたときにこの分離ローラ３２に対向するように対向ローラ３３が配置されている。
【００３４】
この構成で、ピックアップローラ３１が駆動されることによって、原稿トレイ２３上の最上層の原稿がＡＤＦ２５内に繰り込まれる。原稿はピックアップローラ３１の駆動によって分離ローラ３２へ送られ、当該分離ローラ３２と対向ローラ３３との間にニップされる。そして原稿は、原稿搬送方向に回転駆動する分離ローラ３２と、原稿搬送方向とは逆方向に回転駆動する対向ローラ３３と、によって１枚ずつ分離され、原稿搬送経路３０の下流側へ搬送される。
【００３５】
分離ローラ３２の下流側には、レジストローラ３９と、このレジストローラ３９と対になるプレスローラ３７と、が配置されている。レジストローラ３９はプレスローラ３７とともに、分離ローラ３２によって搬送されてくる原稿の先頭側を一時的に止めて弛ませ、所定時間後に弛みを除去しつつ下流側に搬送する。これにより、原稿の斜行が矯正される。
【００３６】
レジストローラ３９の下流側には、複数の搬送ローラ３４，３５が設けられる。また、この搬送ローラ３４，３５のそれぞれに対向するようにローラが配置されている。前記レジストローラ３９の駆動によって下流側へ搬送された原稿は、搬送ローラ３４，３５とそれらに対向するローラとによりニップされて、更に下流側へ搬送される。
【００３７】
２つの搬送ローラ３４，３５の間には第１原稿読取位置５９が設定されており、この第１原稿読取位置５９にはプラテンローラ２９が配置されている。そして、この第１原稿読取位置５９を通過する原稿は、後述の本体側スキャナユニット５０によって走査され、読み取られる。
【００３８】
次に、本体側スキャナユニット５０について説明する。この本体側スキャナユニット５０は、ＡＤＦ２５及びプラテンガラス２２の下方（前記原稿搬送経路３０の外側）に配置されている。また、この本体側スキャナユニット５０は、光源５１と、反射ミラー５２，５３，５４と、集光レンズ５５と、本体側ＣＣＤ５６と、を備えている。光源５１はＡＤＦ２５の第１原稿読取位置５９（又はプラテンガラス２２）に対して光を照射し、反射ミラー５２，５３，５４は原稿からの反射光を反射させる。そしてこの反射光を集光レンズ５５で収束させて、この収束光が本体側ＣＣＤ５６の部分で結像するように構成されている。
【００３９】
本体側スキャナユニット５０の光源５１及び反射ミラー５２等は移動可能に構成されている。前述したようにイメージスキャナ装置１０をブックスキャナとして使用する場合は、本体側スキャナユニット５０の光源５１及び反射ミラー５２等をプラテンガラス２２に沿って移動させる。これによって、プラテンガラス２２上に載置された原稿を読み取ることができるようになっている。
【００４０】
一方、イメージスキャナ装置１０をオートドキュメントフィードスキャナとして使用する場合は、光源５１及び反射ミラー５２等は、図２に示すように、前記第１原稿読取位置５９に対向する位置まで移動させて静止させておく。この状態でＡＤＦ２５を駆動することにより、原稿搬送経路３０を搬送されて第１原稿読取位置５９を通過する原稿の表側の面を、本体側スキャナユニット５０が走査して読み取ることができる。
【００４１】
本体側スキャナユニット５０において、原稿からの反射光は前述のとおり本体側ＣＣＤ５６へ導かれて結像し、本体側ＣＣＤ５６は原稿の画像情報に応じた電気信号を出力する。この信号は適宜変換処理され、複合機２０が備える画像形成部に送信される。そして、この送信された画像情報が画像形成部によって記録媒体としての用紙に転写されることで、複合機２０のコピー機能等が実現される。
【００４２】
原稿搬送経路３０において、前記第１原稿読取位置５９の下流側（搬送ローラ３５の下流側）には第２原稿読取位置６９が設定されている。この第２原稿読取位置６９を通過する原稿の裏面は、次に説明するＡＤＦ側スキャナユニット６０によって走査されて読み取られる。
【００４３】
ＡＤＦ側スキャナユニット６０について説明する。このＡＤＦ側スキャナユニット６０は、Ｕ字状に構成された前記原稿搬送経路３０に内側から接するように、当該原稿搬送経路３０の内側に設置されている。また、ＡＤＦ側スキャナユニット６０は、ＡＤＦ２５の内部に保持されるスキャナフレーム１２を備えている。このスキャナフレーム１２は、内部の光学系を構成する部品等を支持するとともに、その外側を覆って保護するように構成されている。
【００４４】
スキャナフレーム１２の底部には、原稿の裏面を読み取るための読取ガラス６８が備えられる。この読取ガラス６８は、前記第２原稿読取位置６９に対応する位置に配置される。
【００４５】
また、スキャナフレーム１２の前記第２原稿読取位置６９に対向するように、プラテンローラ３８がＡＤＦ２５に配置されている。この構成で、前記搬送ローラ３５により搬送された原稿がプラテンローラ３８の部分に差し掛かると、当該原稿はプラテンローラ３８により搬送されながらその裏側の面が走査されて読み取られる。
【００４６】
以上のようにして２つの原稿読取位置で表裏両面の内容を読み取られた原稿は、排出ローラ３６によって搬送され、排出トレイ２４へ排出される。このようにして、原稿搬送経路３０に原稿を１回通過させるだけで両面読取が可能な構成の、いわゆるワンパス方式のＡＤＦ２５が構成されている。
【００４７】
次に、ＡＤＦ側スキャナユニット６０において構成される縮小光学系について説明する。図２に示すように、ＡＤＦ側スキャナユニット６０は、光源６１と、反射ミラー６２，６３，６４，６５と、集光レンズ６７と、イメージセンサとしてのＡＤＦ側ＣＣＤ５７と、を備えている。これらの部品は、何れもスキャナフレーム１２の内部に配置されている。
【００４８】
光源６１は読取ガラス６８を臨むように配置されており、当該読取ガラス６８を介して第２原稿読取位置６９に光を照射することができる。反射ミラー６２，６３，６４，６５は、原稿からの反射光を更に複数回折り返すように反射させ、集光レンズ６７に導くように構成されている。
【００４９】
集光レンズ６７は光を収束させてＡＤＦ側ＣＣＤ５７の部分に結像させ、ＡＤＦ側ＣＣＤ５７は、本体側スキャナユニット５０における本体側ＣＣＤ５６と同様に、原稿の画像情報に応じた電気信号を出力する。この信号も適宜変換処理され、複合機２０が備える画像形成部に送信される。
【００５０】
次に、図４及び図５を参照して、カバー１１に配置された部品について詳細に説明する。図４は、ＡＤＦ本体１６側から見たカバー１１の様子を示す斜視図である。図５は、ＡＤＦ本体１６の上面の構成を説明する模式図である。なお、以下の説明にでは、カバー１１において、カバー回動軸１５を有する側（図４における略下側）を「基端側」と称するとともに、その反対側（図４における略上側）を「先端側」と称する。
【００５１】
カバー１１の最も基端側には、図４に示すように、カバー取付孔７３と、カバー取付軸７２と、が形成されている。そして、図５に示すように、ＡＤＦ本体１６には、カバー取付孔７３を挿入可能なカバー取付軸９３と、カバー取付軸７２を回動可能に取り付けるためのカバー取付孔９２と、が形成されている。そして、カバー１１は、カバー取付軸７２の中心と、カバー取付軸９３の中心と、を通る線を前記カバー回動軸１５として、カバー１１をＡＤＦ本体１６に対して開閉させることができる。
【００５２】
カバー１１の内面には、２本の細長いリブ９７が一体形成されている。それぞれのリブ９７は、その長手方向が原稿搬送方向にほぼ沿うように配置されている。従って、リブ９７の向きは、分離ローラ３２の回転軸線の向きとほぼ直角になっている。分離ローラ３２が取り付けられる分離ローラ軸４１は、その両端部がリブ９７によってそれぞれ支持されている。
【００５３】
また、カバー１１は、図４に示すように、中央部よりもやや基端側において屈曲している。この屈曲している箇所には、プレスローラ３７が３つ並んで配置されている。プレスローラ３７は、図２に示すように、ＡＤＦ本体１６が備えるレジストローラ３９と対向するように配置されている。また、このプレスローラ３７はプレスローラ軸４２によって支持されており、このプレスローラ軸４２は、付勢バネ４０によってレジストローラ３９と対向する方向に付勢されている。この構成により、プレスローラ３７は、レジストローラ３９に対して押圧できるようになっている。
【００５４】
また、カバー１１の中央部よりやや先端側には、カバー側ギア４６が配置されている。このカバー側ギア４６は、カバー１１を閉じたときに図５に示す本体側ギア９６と噛み合うように構成されている。本体側ギア９６は、ＡＤＦ本体１６が備える図略の駆動装置からの動力が伝達されることによって回転可能になっており、カバー１１が閉じた状態で本体側ギア９６が回転することにより、カバー側ギア４６も回転する。
【００５５】
そして、このカバー側ギア４６は、分離ローラ軸４１と相対回転不能に接続されているため、カバー側ギア４６が回転することにより分離ローラ軸４１も回転する。そして、この分離ローラ軸４１が回転することにより、当該分離ローラ軸４１に相対回転不能に接続された分離ローラ３２も回転する。分離ローラ３２は複数の伝達ギア４３を介してピックアップローラ３１と連結されているため、分離ローラ３２が回転することにより、ピックアップローラ３１も回転する。このようにして、ＡＤＦ本体１６が備える駆動装置からの動力がピックアップローラ３１及び分離ローラ３２に伝達されている。
【００５６】
なお、分離ローラ３２は、図２に示すように、カバー１１を閉じたときに対向ローラ３３と接触するように構成されている。
【００５７】
また、図４に示すように、分離ローラ軸４１とプレスローラ軸４２とは板バネ４７によって接続されている。この板バネ４７は、導電性の部材で構成されており、分離ローラ軸４１とプレスローラ軸４２との導通を行っている。また、この板バネ４７は、細長矩形状に形成されており、その中央部がネジによって板金（導電性部材）４８に固定されている。
【００５８】
板金４８は、導電性の部材で構成されており、板バネ４７と電気的に導通されている。また、この板金４８は細長い薄板状に構成されており、その一端が、２本のうち一方のリブ９７において厚み方向に貫通するように形成された貫通孔９８に差し込まれている。そして板金４８は、当該一端部において２段バネ（弾性部材）４９の根元部をカバー１１との間で挟み込むようにして、カバー１１の内面にネジ止めで固定されている。なお、この２段バネ４９の形状及び取付方法の詳細は後述する。
【００５９】
また、この２段バネ４９は、カバー１１を閉じたときに図５に示すアース部材９９と接触するように配置されている。このアース部材９９は例えば板金フレームで構成されており、適宜のアース回路を通じて基準電位点（地面等）と接続されている。
【００６０】
この構成により、カバー１１に配置される分離ローラ軸４１及びプレスローラ軸４２は、カバー１１を閉じているときは基準電位点と電気的に接続されることになり、基準電位を保つことができる。
【００６１】
また、カバー１１の先端側の端部近傍には、カバー１１を閉じた状態でロックするためのロック機構８０が配置されている。このロック機構８０は２つのロックレバー８１，８５を備えている。この構成で、カバー１１を閉じたときにロックレバー８１，８５が図５に示すロックピン９１，９５に引っ掛かることで、カバー１１をロックすることができる。
【００６２】
次に、図６を参照して、２段バネ４９の形状及び取付方法について説明する。図６は、２段バネ４９の取付けを説明する分解斜視図である。
【００６３】
図６（ａ）に示すように、２段バネ４９は、外形が２段構造の円筒状のコイルバネで構成されており、小径である第１部位１０１と大径である第２部位１０２とを備えている。また、カバー１１には十字状の突起である嵌込み部（保持部）１０５が形成されている。
【００６４】
２段バネ４９をカバー１１に取り付けるときは、まず、図６（ａ）に示すように、嵌込み部１０５に対して２段バネ４９の第２部位１０２を嵌め込む。具体的には、第２部位１０２の端部を広げるようにして変形させて、嵌込み部１０５の十字の外周部に被せるように嵌め込むことで、２段バネ４９をカバー１１の内面に保持させる。
【００６５】
次に、図６（ｂ）に示すように、２段バネ４９の第１部位１０１を指等で押さえて適宜圧縮した状態とし、その上で、板金４８の先端部をリブ９７の貫通孔９８に差し込む。そして、当該先端部に形成されている取付孔１０８の位置を前記第１部位１０１に合わせ、第１部位１０１の圧縮を解除する。これにより、第１部位１０１が元の形に復元し、取付孔１０８を通過して突出した状態とすることができる。
【００６６】
なお、取付孔１０８の内径は、第１部位１０１の直径より大きいものの、第２部位１０２の直径よりは小さくなっているので、第２部位１０２が取付孔１０８から突出することはない。
【００６７】
以上のようにして２段バネ４９の第１部位１０１を板金４８の取付孔１０８に差し込んだ後に、図４で示すネジ等によって板金４８をカバー１１に固定する。この結果、大径である第２部位１０２がカバー１１と板金４８との間で若干圧縮されるので、復元力が作用する第２部位１０２は取付孔１０８の周縁部に良好に密着し、電気的導通を安定して確保することができる。
【００６８】
以上のようにして、２段バネ４９は、板金４８と電気的に接続されつつ、第１部位１０１が板金４８から突出するように取り付けられる。そして、この第１部位１０１の先端とアース部材９９とが接触することで、カバー１１の各部品のアースを行うことができる。
【００６９】
なお、貫通孔９８の部分においてリブ９７の下端部が仮に開放されていれば、その開放部分から板金４８を差し込むようにすることで、カバー１１に板金４８を比較的容易に取り付けることができる。しかしながら、本実施形態では、リブ９７によってカバー１１の剛性を効果的に向上させるために、貫通孔９８の部分に開放部を設けていない。従って、板金４８を取り付けるときは、始めに、板金４８を２段バネ４９の取付向きと略垂直の方向（リブ９７の厚み方向）に移動させて貫通孔９８に差し込む。そして、板金４８を２段バネ４９の取付向きと略平行の方向に移動させて取付孔１０８を２段バネ４９に差し込む必要がある。この点、本実施形態では、予め嵌込み部１０５に２段バネ４９を組み付けておくことで、板金４８の取付時には、２段バネ４９の位置が動かないように指等で摘んで持つ必要がなくなる（第１部位１０１の頭部を指１本で押さえて圧縮しておくだけでよい）。また、板金４８の取付時に２段バネ４９が不用意に外れたり飛んでいったりする事態を防止でき、組立作業性を向上させることができる。
【００７０】
以上に説明したように、本実施形態のＡＤＦ２５は、ＡＤＦ本体１６と、アース部材９９と、カバー１１と、板金４８と、２段バネ４９と、を備える。アース部材９９は、ＡＤＦ本体１６に配置される。カバー１１は、非導電性であり、ＡＤＦ本体１６に開閉可能に支持される。板金４８は、カバー１１に配置された部品と導通している。２段バネ４９は、導電性であり、カバー１１と板金４８とに挟まれるようにして固定され、カバー１１を閉じたときにアース部材９９と接触する。
【００７１】
これにより、カバー１１を閉めることでアース部材９９と２段バネ４９とが接触するため、カバー１１に配置された部品をアースすることができる。また、２段バネ４９を挟み込むようにして取り付ける構成であるため、２段バネ４９を取り付けるための取付具（ネジ等）を省略することができる。従って、ＡＤＦ２５の製造コストを低減できる。
【００７２】
また、本実施形態のＡＤＦ２５において、２段バネ４９は、直径の小さい第１部位１０１と直径の大きい第２部位１０２とを備えている。一方、板金４８には、第１部位１０１を差込可能であって、第２部位１０２を差込不能である取付孔１０８が形成されている。
【００７３】
これにより、カバー１１と板金４８とで２段バネ４９を挟み込むときに、２段バネ４９を取付孔１０８に挿入するだけで第１部位１０１が板金４８から突出する。そのため、２段バネ４９を取り付けるだけで、アースが可能な構成にできる。また、２段バネ４９の位置決めを容易に行うことができる。
【００７４】
また、本実施形態のＡＤＦ２５においては、導電性部材として板金４８が用いられる。
【００７５】
これにより、導電性部材を薄く構成することができるので、カバー１１を薄くでき、コンパクトなＡＤＦ２５が実現できる。また、板金は加工性に優れるため、大きさの違うＡＤＦ等に対応することが容易である。
【００７６】
また、本実施形態のＡＤＦ２５において、カバー１１には、２段バネ４９を保持可能な嵌込み部１０５が形成される。
【００７７】
これにより、カバー１１と板金４８との間に２段バネ４９を挟み込むときに、２段バネ４９を嵌込み部１０５に保持させておくことができる。このため、２段バネ４９の位置が動かないように指等で保持しておく必要がなくなり、２段バネ４９を容易に取り付けることができる。
【００７８】
また、本実施形態のイメージスキャナ装置１０は、上記のＡＤＦ２５を備えている。
【００７９】
これにより、２段バネ４９を取り付けるための部品（ネジ等）が必要なくなるとともに、この部品を取り付ける手間を省くことができる。従って、イメージスキャナ装置１０の製造コストを低減できる。
【００８０】
以上に本発明の好適な実施の形態を説明したが、上記の構成は例えば以下のように変更することができる。
【００８１】
上記実施形態では、導電性部材として板金４８を用いたが、導電性を有する物体であれば板金４８に限られず、様々な物質を用いることができる。
【００８２】
上記実施形態では、弾性部材として２段バネ４９を用いたが、２段形状に限らず取付孔１０８からバネの一部が突出する形状であれば任意の形状にすることができる。また、弾性部材として導電性ゴム等を用いることができる。
【００８３】
上記実施形態では、嵌込み部１０５は十字状に形成されているが、弾性部材を保持できる形状であればどのような形状にしても良い。
【００８４】
複合機２０に代えて、例えば、コピー機、ファクシミリ装置等にも、上記実施形態のイメージスキャナ装置１０を適用することができる。
【００８５】
上記実施形態ではイメージスキャナ装置１０は複合機２０の一部として備えられているが、この構成に代えて、単体のイメージスキャナ装置として構成することができる。
【符号の説明】
【００８６】
１０  イメージスキャナ装置（原稿読取装置）
１１  カバー
１６  ＡＤＦ本体（本体）
２５  ＡＤＦ（自動原稿搬送装置）
４７  板バネ
４８  板金（導電性部材）
４９  ２段バネ（弾性部材）
１０１  第１部位
１０２  第２部位
１０５  嵌込み部（保持部）
１０８  取付孔
【図１】
2011123174.tif 000003
【図２】
2011123174.tif 000004
【図３】
2011123174.tif 000005
【図４】
2011123174.tif 000006
【図５】
2011123174.tif 000007
【図６】
2011123174.tif 000008